(57)【要約】【課題】任意に選択された取付対象物を良好に取り付けることができるとともに、取付対象物の交換を容易なものとすることができる取付ベース及び屋外構造体を提供すること。【解決手段】建物躯体１に配設された外壁材４より一部が露出するよう建物躯体１に支持される取付ベース５０であって、取付対象となる屋外張出構造物１００，２００を取り付けるための取付部６３ａが外壁材４より露出される個所に形成された中空形状をなす取付本体部５０ｂを備えたものである。また取付本体部５０ｂに隣接するよう該取付本体部５０ｂと一体的に構成され、かつ上端部６４１及び下端部６４２を通じて建物躯体１に取付固定される固定本体部５０ａを備えることが好ましい。【選択図】図３
2014091911.tif 000002
【特許請求の範囲】
【請求項１】
建物躯体に配設された外壁材より一部が露出するよう該建物躯体に支持される取付ベースであって、
取付対象物を取り付けるための取付部が前記外壁材より露出される個所に形成された中空形状をなす取付本体部を備えたことを特徴とする取付ベース。
【請求項２】
前記取付本体部に隣接するよう該取付本体部と一体的に構成され、かつ躯体固定部を通じて前記建物躯体に取付固定される固定本体部を備えたことを特徴とする請求項１に記載の取付ベース。
【請求項３】
前記外壁材は、通気層を介して前記建物躯体に配設されるものであり、
前記固定本体部は、前記通気層の見込み幅内に配置され、かつ上下方向に沿って前記通気層に連通する通気路が形成されていることを特徴とする請求項２に記載の取付ベース。
【請求項４】
前記外壁材は、前記建物躯体に敷設された断熱材に胴縁部材を介して設けられることにより、外壁材と断熱材との間に通気層が形成されるよう該建物躯体に配設されるものであり、
前記固定本体部は、前記通気層の見込み幅内に配置され、かつ上下方向に沿って前記通気層に連通する通気路が形成されていることを特徴とする請求項２に記載の取付ベース。
【請求項５】
上記請求項１〜４のいずれか１つに記載の取付ベースと、
前記取付部に取り付けられた屋外張出構造物と
を備えたことを特徴とする屋外構造体。
【発明の詳細な説明】
【技術分野】
【０００１】
本発明は、取付ベース及び屋外構造体に関し、より詳細には、建物躯体に配設された外壁材より一部が露出するよう該建物躯体に支持される取付ベース及び屋外構造体に関するものである。
【背景技術】
【０００２】
従来、庇やサンシェード等の取付対象となる屋外張出構造物の建物への取り付けは、取付用のネジ部材を室外側より外壁材を貫通させてその端部を建物躯体に係合させることにより行われていた。
【０００３】
近年においては建物躯体と外壁材との間に断熱材や通気層を介在させる、外張り断熱工法のシェアが伸びてきている。本工法による建物は、建築躯体外側に断熱材を配置するため、外壁材と建物躯体との離間距離が大きくなるという特質を有している。
【０００４】
そのため、かかる建物に屋外張出構造物を取り付けようとする場合、上述したようなネジ部材を用いた取り付けでは、ネジ部材と建物躯体との係合部分と、屋外張出構造物との距離（片持ち距離）が大きくなり、しかも断熱材等は十分な強度を有していないことから、屋外張出構造物への荷重に対するネジ部材の撓み量が大きくなってしまうことが考えられ、結果として屋外張出構造物の取り付けが困難であった。
【０００５】
また、外壁材として軽量発泡コンクリート（ＡＬＣ（Autoclaved  Lightweight  Concrete））材や、鉄やアルミニウム等の板状部材に発泡系樹脂断熱材が補強材として成形された金属系サイディング材等を用いた建物の提案も増えてきている。
【０００６】
これらの外壁材において、屋外張出構造物を取り付ける際、通常の取付方法では、ＡＬＣ外壁においては外壁材のヒビや割れが懸念される。また、金属系サイディング材においては、ねじ締結により外壁材が凹んでしまい、取付後製品の平滑度が得られにくいといった懸念事項がある。これらにより、屋外張出構造物の取付は困難であった。
【０００７】
そこで、外壁材に貫通孔を形成し、この貫通孔を貫通するボルトとこのボルトに螺合するナットとにより外壁材表面に取付桟を固定し、該取付桟により屋外張出構造物を支持させて取り付けるようにしたものが提案されている（例えば、特許文献１参照）。
【先行技術文献】
【特許文献】
【０００８】
【特許文献１】特公平６−９６９００号公報
【発明の概要】
【発明が解決しようとする課題】
【０００９】
ところで、庇から他の形状の庇への変更、あるいは庇からサンシェードへの変更のように取付対象となる屋外張出構造物を変更する場合には、上記特許文献１に提案されているものでは、新たな屋外張出構造物の形状に応じて外壁材に貫通孔を形成したり、あるいは所定寸法の複数の外壁材を新たに配設し直して貫通孔を形成したりしなくてはならず、屋外張出構造物の変更作業が煩雑なものとなる虞れがあり、結果として屋外張出構造物の交換は容易なものではなかった。しかも、外壁材として低強度のものを用いた場合には、貫通孔を形成する際に割れ等の発生が生ずる虞れがあり、外壁材を破損させてしまうことがある。
【００１０】
本発明は、上記実情に鑑みて、任意に選択された取付対象物を良好に取り付けることができるとともに、取付対象物の交換を容易なものとすることができる取付ベース及び屋外構造体を提供することを目的とする。
【課題を解決するための手段】
【００１１】
上記目的を達成するために、本発明に係る取付ベースは、建物躯体に配設された外壁材より一部が露出するよう該建物躯体に支持される取付ベースであって、取付対象物を取り付けるための取付部が前記外壁材より露出される個所に形成された中空形状をなす取付本体部を備えたことを特徴とする。
【００１２】
この発明によれば、取付本体部は、取付対象物を取り付けるための取付部が該外壁材より露出される個所に形成されているので、取付対象物を取り付ける際に外壁材に加工等を施す必要がない。しかも取付部にて取付対象物を取り付けることで、取付作業を容易なものとすることができ、更に従来のように片持ち距離が長くなってしまうこともなく、該部材への荷重に対しても十分な強度を有することができる。また、取付本体部は中空形状をなしているので、内部への水の進入を防止することができるとともに、取付部の強度を良好に確保することができる。
【００１３】
また、本発明は、上記取付ベースにおいて、前記取付本体部に隣接するよう該取付本体部と一体的に構成され、かつ躯体固定部を通じて前記建物躯体に取付固定される固定本体部を備えたことを特徴とする。
【００１４】
この発明によっても、取付本体部は、取付対象物を取り付けるための取付部が該外壁材より露出される個所に形成されているので、取付対象物を取り付ける際に外壁材に加工等を施す必要がない。しかも取付部にて取付対象物を取り付けることで、取付作業を容易なものとすることができ、更に従来のように片持ち距離が長くなってしまうこともなく、該部材への荷重に対しても十分な強度を有することができる。また、取付本体部は中空形状をなしているので、外壁材内側への水の進入を防止することができるとともに、取付部の強度を良好に確保することができる。
【００１５】
また、本発明は、上記取付ベースにおいて、前記外壁材は、通気層を介して前記建物躯体に配設されるものであり、前記固定本体部は、前記通気層の見込み幅内に配置され、かつ上下方向に沿って前記通気層に連通する通気路が形成されていることを特徴とする。
【００１６】
この発明によれば、固定本体部には、外壁材と建物躯体との間の通気層に連通する通気路が上下方向に沿って形成されているので、通気層を通じての通気を阻害する虞れがなく、しかも水等が固定本体部の内部に進入しても、通気路の下方側より排出することができる。従って、躯体通気を良好なものとしつつ、水等が内部に溜まることを防止することができる。
【００１７】
また、本発明は、上記取付ベースにおいて、前記外壁材は、前記建物躯体に敷設された断熱材に胴縁部材を介して設けられることにより、外壁材と断熱材との間に通気層が形成されるよう該建物躯体に配設されるものであり、前記固定本体部は、前記通気層の見込み幅内に配置され、かつ上下方向に沿って前記通気層に連通する通気路が形成されていることを特徴とする。
【００１８】
この発明によれば、固定本体部には、建物躯体と、この建物躯体に配設された外壁材との間の通気層に連通する通気路が上下方向に沿って形成されているので、通気層を通じての通気を阻害する虞れがなく、しかも水等が固定本体部の内部に進入しても、通気路の下方側より排出することができる。従って、躯体通気を良好なものとしつつ、水等が内部に溜まることを防止することができる。
【００１９】
また、本発明に係る屋外構造体は、上記取付ベースと、前記取付部に取り付けられた屋外張出構造物とを備えたことを特徴とする。
【００２０】
この発明によれば、取付ベースを備えているので、外壁材に加工等することなく屋外張出構造物を設置することができる。
【発明の効果】
【００２１】
本発明によれば、取付対象物を取り付ける際に外壁材に加工等を施す必要がなく、しかも取付部にて取付対象物を取り付けることで取付作業を容易なものとすることができるので、任意に選択された取付対象物を良好に取り付けることができるとともに、取付対象物の交換を容易なものとすることができるという効果を奏する。
【図面の簡単な説明】
【００２２】
【図１】図１は、本発明の実施の形態である取付ベースが建物に取り付けられた状態を示す外観図である。
【図２】図２は、図１に示した取付ベースを拡大して示す縦断面図である。
【図３】図３は、図１及び図２に示した取付ベースを模式的に示す縦断面図である。
【図４】図４は、図３に示した取付ベースのＡ−Ａ線断面図である。
【図５】図５は、図３及び図４に示した取付ベースにおける取付部の一方の端部を拡大して示す正面図である。
【図６】図６は、図３及び図４に示した取付ベースに取付対象となる屋外張出構造物が取り付けられて形成された屋外構造体を示す縦断面図である。
【図７】図７は、図３及び図４に示した取付ベースに取付対象となる屋外張出構造物が取り付けられて形成された屋外構造体を示す縦断面図である。
【発明を実施するための形態】
【００２３】
以下に添付図面を参照して、本発明に係る取付ベース及び屋外構造体の好適な実施の形態について詳細に説明する。
【００２４】
図１は、本発明の実施の形態である取付ベースが建物に取り付けられた状態を示す外観図であり、図２は、図１に示した取付ベースを拡大して示す縦断面図である。ここで例示する取付ベース５０は、窓１０の上方域において室外側に突出するよう支持されている。
【００２５】
取付ベース５０が支持される建物は、建物躯体１の外面（例えば、構造用合板の表面）に断熱材２が敷設され、この断熱材２の表面に胴縁部材３を介在させて例えば軽量発泡コンクリート材（ＡＬＣ材）やサイディング材等からなる外壁材４が外張断熱工法により配設されることにより、かかる外壁材４と建物躯体１（断熱材２）との間に通気層５が形成されてなるものである。
【００２６】
窓１０は、建物の開口、すなわち建物躯体１、断熱材２及び外壁材４に形成された開口に設置されたものであり、開口枠２０と左右２枚の障子３０とを備え、開口枠２０に対して２枚の障子３０を左右方向にスライド移動させて開閉する、いわゆる「引き違い窓」と称されるものである。かかる窓１０においては、さらに開口枠２０において室外側に位置する部位に網戸４０（図２参照）を１枚備えたものを例示している。
【００２７】
開口枠２０は、上枠２１、下枠２２及び左右一対の縦枠２３を四周枠組みすることによって横長に構成された矩形状を成すものである。上枠２１、下枠２２及び縦枠２３には、それぞれの室外側に位置する縁部に網戸レール４１が設けられている。
【００２８】
２枚の障子３０は、それぞれ上框３１、下框３２及び左右一対の縦框３３を四周框組みし、かつこれら上框３１、下框３２及び縦框３３の間にガラス板等のパネル材３４が配設されることにより構成されたものである。これら障子３０は、開口枠２０の内部に左右方向に沿ってスライド移動可能に配設されている。これら障子３０は、互いに同一の大きさを有し、かつそれぞれの一方の縦框（召合せ框）３３を重ね合わせて左右に並設された場合に開口枠２０の開口を閉塞することのできる大きさに構成されている。このような窓１０の室内側には、建物の開口において室内側に位置する四周の見込み面にそれぞれ額縁部材１１が取り付けられている。
【００２９】
図３は、図１及び図２に示した取付ベース５０を模式的に示す縦断面図であり、図４は、図３に示した取付ベース５０のＡ−Ａ線断面図である。これら図３及び図４を適宜用いながら本実施の形態である取付ベース５０について説明する。
【００３０】
取付ベース５０は、ベース本体６０とカバー部材７０とを備えて構成されている。ベース本体６０は、例えばアルミニウム等の金属製の押出材であり、室内外方向（以下、前後方向ともいう）に直交する左右方向が長手方向となる長尺状のものである。このベース本体６０の左右幅の大きさが、窓１０の左右幅（見付け幅）よりも大きくしてある。
【００３１】
このようなベース本体６０は、上部６１、下部６２、前部６３、後部６４及び区画部６５を有している。上部６１は、前後方向に沿って延在する部位であり、前端部が前方に向かうに連れて漸次下方に傾斜している。下部６２は、上部６１の下方側において前後方向に沿って延在する部位であり、前端部が前方に向かうに連れて漸次上方に傾斜している。
【００３２】
前部６３は、上部６１の前端縁部と下部６２の前端縁部とを連結させるよう上下方向に沿って延在する部位であり、その中央部分には蟻溝構造の取付部６３ａが形成されている。ここで取付部６３ａについて説明する。
【００３３】
取付部６３ａは、基部６３１と、上方側前延部６３２と、下延部６３３と、下方側前延部６３４と、上延部６３５とを備えて構成されている。基部６３１は、上下方向に沿って延在する部位である。上方側前延部６３２は、基部６３１の上端縁部より前方に向けて延在した後に上方に向けて延在し、更にその延在端部から前方に向けて延在する屈曲部位である。下延部６３３は、上方側前延部６３２の前方側の延在端部より下方に向けて延在する部位である。下方側前延部６３４は、基部６３１の下端縁部より前方に向けて延在した後に下方に向けて延在し、更にその延在端部から前方に向けて延在する屈曲部位である。上延部６３５は、下方側前延部６３４の前方側の延在端部より上方に向けて延在する部位である。
【００３４】
これら下延部６３３や上延部６３５の左右両端部には、図４や図５に示すように、下延切欠部６３３ａ及び上延切欠部６３５ａが形成されている。
【００３５】
後部６４は、上部６１の後端縁部と下部６２の後端縁部とを連結させるよう上下方向に沿って延在する部位であり、上端部（躯体固定部）６４１が上部６１より上方に突出し、かつ下端部（躯体固定部）６４２が下部６２より下方に突出している。この後部６４の上端部６４１及び下端部６４２には、左右方向に沿って複数の後部貫通孔（図示せず）が所定間隔毎に形成されている。
【００３６】
このようなベース本体６０は、窓１０の上方域の所定個所において、後部貫通孔を貫通するネジ部材Ｎが断熱材２の代わりに配設された下地材６を介して建物躯体１と締結されることにより、外壁材４の矩形状開口４ａを上部６１及び下部６２が貫通するよう建物躯体１に支持されている。ここで外壁材４の矩形状開口４ａは、１枚の外壁材４に切削加工等を施して形成しても良いが、予め所定形状に構成された複数の外壁材４を組み合わせることにより形成するのが望ましい。図３中の符号７及び８は、気密性を確保するためのシール材及びコーティング材である。
【００３７】
区画部６５は、上部６１と下部６２とを連結させるよう上下方向に沿って延在する部位であり、ベース本体６０の内部を前後に区画するものである。本実施の形態においては、外壁材４の内面と略同一平面となる個所で上部６１と下部６２とを連結させるよう上下方向に沿って延在している。
【００３８】
この区画部６５によりベース本体６０は、通気層５に対応した後方側中空形状部分６０ａと、外壁材４より露出される前方側中空形状部分６０ｂとの２つの中空部分が形成されている。そして、後方側中空形状部分６０ａを構成する上部６１及び下部６２には、左右方向に沿って所定間隔毎に長孔形状の通気孔６１ａ，６２ａが形成されている。これら通気孔６１ａ，６２ａは、後方側中空形状部分６０ａの内部を通気層５と連通させるためのものである。
【００３９】
カバー部材７０は、例えばアルミニウム等の金属製の板状体であり、ベース本体６０の左右両端部を閉塞するのに十分な大きさを有している。これらカバー部材７０は、略同じ外径寸法を有するゴムシール材７１を介してベース本体６０の左右両端部を閉塞するよう図示せぬビス等により取り付けられている。
【００４０】
このような取付ベース５０は、後方側中空形状部分６０ａを有する固定本体部５０ａと、前方側中空形状部分６０ｂを有する取付本体部５０ｂとが互いに前後に隣接して構成されており、取付本体部５０ｂが外壁材４より露出されており、その露出される個所には取付部６３ａが形成されている。かかる取付部６３ａにおいては、下延部６３３の下縁端部、上延部６３５の上縁端部及びカバー部材７０により略矩形状の取付開口６３ａ１が形成されている。
【００４１】
また、固定本体部５０ａは、取付本体部５０ｂよりも室内側において該取付本体部５０ａと一体的に構成され、かつ上端部６４１及び下端部６４２を通じて建物躯体１に取付固定されている。この室内本体部５０ａは、通気層５の見込み幅内に配置されており、通気孔６１ａ，６２ａと後方側中空形状部分６０ａとにより上下方向に沿って通気層５に連通する通気路が形成されている。
【００４２】
上記取付ベース５０は、図１及び図２に示すように常態においては取付開口６３ａ１がアルミ押出形材や樹脂製の蓋材８０により閉塞されている。本実施の形態においては特に言及しないが、本発明においては、かかる蓋材（８０）に外壁材４と同じような模様や色彩を付したり、その他の模様や色彩を付したりしても良い。これにより、外観上取付ベース自体にデザイン性をもたせることができ、意匠性に優れたものとすることができる。
【００４３】
本発明の実施の形態である取付ベース５０に対して、図６に示すような庇（屋外張出構造物）１００を取り付ける場合には、取付ベース５０の蓋材８０を取り外し、裏板１０１を取付部６３ａの端部における切欠部（下延切欠部６３３ａ、上延切欠部６３５ａ）より上方側前延部６３２と下方側前延部６３４との間に進入させる。そして、庇１００と裏板１０１とをボルト１０２を介して取り付けることで、取付開口６３ａ１を貫通した状態で庇１００を取り付けることができる。これにより本実施の形態である屋外構造体が形成される。
【００４４】
また、図７に示すような形状が異なる他の庇（屋外張出構造物）２００に取り換える場合には、既設の庇１００を取り外し、取付部６３ａの端部における切欠部（下延切欠部６３３ａ、上延切欠部６３５ａ）を介して裏板１０１を取付部６３ａから離脱させる。そして、取付部６３ａの端部における切欠部（下延切欠部６３３ａ、上延切欠部６３５ａ）より新たなワッシャ付ボルト２０１を上方側前延部６３２と下方側前延部６３４との間に進入させ、庇２００とワッシャ付ボルト２０１とをナット２０２を介して取り付けることで、取付開口６３ａ１を貫通した状態で他の庇２００を取り付けることができる。これによっても本実施の形態である屋外構造体が形成される。
【００４５】
以上説明したように、本発明の実施の形態である取付ベース５０によれば、取付本体部５０ｂは、外壁材４より露出され、かつ取付対象となる庇１００，２００を取り付けるための取付部６３ａが該外壁材４より露出される個所に形成されているので、庇１００，２００等の取付対象となる屋外張出構造物（取付対象物）を取り付ける際に外壁材４に加工等を施す必要がない。しかも取付部６３ａにて取付対象となる屋外張出構造物（庇１００，２００）を取り付けることで、取付作業を容易なものとすることができ、更に従来のように片持ち距離が長くなってしまうこともなく、屋外張出構造物への荷重に対しても十分な強度を有することができる。従って、上記取付ベース５０によれば、取付対象となる屋外張出構造物（庇１００，２００）を取り付ける際に外壁材４に加工等を施す必要がなく、しかも取付部６３ａにて取付対象となる屋外張出構造物１００，２００を取り付けることで取付作業を容易なものとすることができるので、任意に選択された屋外張出構造物１００，２００を良好に取り付けることができるとともに、屋外張出構造物１００，２００の交換を容易なものとすることができる。
【００４６】
上記取付ベース５０によれば、取付本体部５０ｂは中空形状をなしていて該取付本体部５０ｂを形成するベース本体６０には孔等が形成されていないので、外部から雨水や断熱材２の表面に生じた結露水等が進入する虞れがなく、止水性を良好なものとすることができる。しかも、取付本体部５０ｂが中空形状をなしていることにより、取付部６３ａの強度を良好に確保することができる。
【００４７】
上記取付ベース５０によれば、固定本体部５０ａには、通気層５に連通する通気路が形成されているので、通気層５を通じての通気を阻害する虞れがなく、しかも断熱材２の表面で生じた結露水が固定本体部５０ａの内部に進入しても、下方の通気孔６２ａより排出することができる。従って、躯体通気を良好なものとしつつ、結露水等を含む水が内部に溜まることを防止することができる。
【００４８】
上記取付ベース５０によれば、取付部６３ａを構成する上延部６３５の左右両端部に上延切欠部６３５ａが形成されているので、取付開口６３ａ１を通じて取付部６３ａの内部、すなわち基部６３１、上方側前延部６３２、下延部６３３、下方側前延部６３４及び上延部６３５に囲まれる領域に進入した雨水等についても該上延切欠部６３５ａを通じて良好に排出することができる。
【００４９】
上記取付ベース５０によれば、取付部６３ａを構成する下延部６３３の左右両端部にも下延切欠部６３３ａが形成されているので、上延部６３５の上延切欠部６３５ａとともに取付部６３ａの左右両端部における取付開口６３ａ１の面積を拡大させることができ、取付対象となる屋外張出構造物（庇１００，２００等）にボルト１０２を介して連結される裏板１０１、あるいはワッシャ付ボルト２０１の追加や交換を可能なものとすることができる。
【００５０】
以上、本発明の好適な実施の形態について説明したが、本発明はこれに限定されるものではなく、種々の変更を行うことができる。
【００５１】
上述した実施の形態においては、取付ベース５０は、窓（引き違い窓）１０の上方域に配設されていたが、本発明においては、取付ベースの設置個所は特に限定されるものではなく、玄関の上方域や掃き出し窓の上方域に配設されるものであっても良い。
【００５２】
上述した実施の形態においては、取付ベース５０は、固定本体部５０ａと取付本体部５０ｂとがともに中空形状をなしていたが、本発明においては、少なくとも一部が外壁材から露出される構成要素（本実施の形態では取付本体部５０ｂ）のみが中空形状をなしていれば良く、固定本体部は中空形状をなしていなくても良い。
【００５３】
上述した実施の形態においては、取付ベース５０が支持される建物では、建物躯体１と外壁材４との間に通気層５が形成されてなるものであったが、本発明においては、通気層が形成されていない建物に対しても適用可能なことを言うまでもない。
【００５４】
上述した実施の形態においては、取付対象となる屋外張出構造物として庇１００，２００を例示したが、本発明においては、庇だけに限られず、サンシェードやロールスクリーン等を対象としても良い。
【００５５】
上述した実施の形態においては、取付部６３ａは蟻溝構造を有するものであったが、本発明においては取付部の構造は特に限定されるものではなく、種々の形状を採用することができる。
【符号の説明】
【００５６】
１  建物躯体
２  断熱材
３  胴縁部材
４  外壁材
４ａ  矩形状開口
５  通気層
６  下地材
１０  窓
２０  開口枠
３０  障子
５０  取付ベース
５０ａ  固定本体部
５０ｂ  取付本体部
６０  ベース本体
６０ａ  後方側中空形状部分
６０ｂ  前方側中空形状部分
６１  上部
６１ａ  通気孔
６２  下部
６２ａ  通気孔
６３  前部
６３ａ  取付部
６３ａ１  取付開口
６３１  基部
６３２  上方側前延部
６３３  下延部
６３３ａ  下延切欠部
６３４  下方側前延部
６３５  上延部
６３５ａ  上延切欠部
６４  後部
６４１  上端部
６４２  下端部
６５  区画部
７０  カバー部材
７１  ゴムシール材
８０  蓋材
１００  庇
１０１  裏板
１０２  ボルト
２００  他の庇
２０１  ワッシャ付ボルト
２０２  ナット
【図１】
2014091911.tif 000003
【図２】
2014091911.tif 000004
【図３】
2014091911.tif 000005
【図４】
2014091911.tif 000006
【図５】
2014091911.tif 000007
【図６】
2014091911.tif 000008
【図７】
2014091911.tif 000009